(57)【特許請求の範囲】
【請求項１】
長尺形状の基板に発光素子が実装された発光素子基板と、
長尺形状の平板状の取付部であって一方の面に前記発光素子基板が取り付けられると共に、前記発光素子基板の短手方向となる前記発光素子基板の幅に対応して、前記発光素子基板の長手方向に沿う一方の基板端部に対応する位置と他方の基板端部に対応する位置とに複数の貫通孔が形成された取付部を有する保持部と、
突起形状をなすと共に前記突起形状の先端に第一の押さえ部を有し、前記一方の基板端部に対応する位置に形成された貫通孔に前記第一の押さえ部から押し込まれる第一の突起部と、突起形状をなすと共に前記突起形状の先端に第二の押さえ部を有し、前記他方の基板端部に対応する位置に形成された貫通孔に前記第二の押さえ部から押し込まれる第二の突起部とを有し、前記貫通孔を貫通した前記第一の押さえ部と前記貫通孔を貫通した前記第二の押さえ部とで前記発光素子基板の前記一方の基板端部と前記他方の基板端部とを押さえる基板固定部材と、
前記発光素子基板を覆い前記発光素子の発した光を拡散する拡散部と、前記貫通孔を貫通した前記第一の突起部を前記一方の基板端部と共に挟む状態で、前記貫通孔を貫通した前記第一の突起部に当たる第一の当接部と、前記貫通孔を貫通した前記第二の突起部を前記他方の基板端部と共に挟む状態で、前記貫通孔を貫通した前記第二の突起部に当たる第二の当接部とを有するカバー部とを備えた光源ユニット。
【請求項２】
前記発光素子基板は、
前記基板が前記取付部に対して前記取付部の長手方向にずれようとする場合に、前記貫通孔を貫通した前記第一の突起部に押し当たる突起当接部を有する請求項１に記載の光源ユニット。
【請求項３】
前記基板固定部材は、
前記第一の突起部と前記第二の突起部とを有し、かつ、電気部品が嵌め込まれる嵌め込み部を有する部材本体部を備えた請求項１または請求項２に記載の光源ユニット。
【請求項４】
前記電気部品は、
電線またはコネクタである請求項３に記載の光源ユニット。
【請求項５】
前記保持部は、
前記取付部の長手方向に沿う一方の取付端部から発光素子基板と反対方向に起立する第一の側面部と、前記取付部の長手方向に沿う他方の取付端部から発光素子基板と反対方向に起立する第二の側面部とを有し、
前記基板固定部材は、
前記第一の側面部と、前記第二の側面部とに挟まれて前記保持部に配置される請求項１から請求項４のいずれか一項に記載の光源ユニット。
【請求項６】
長尺形状の基板に発光素子が実装された発光素子基板と、
長尺形状の平板状の取付部であって一方の面に前記発光素子基板が取り付けられると共に、前記発光素子基板の短手方向となる前記発光素子基板の幅に対応して、前記発光素子基板の長手方向に沿う一方の基板端部に対応する位置と他方の基板端部に対応する位置とに複数の貫通孔が形成された取付部を有する保持部と、
突起形状をなすと共に前記突起形状の先端に第一の押さえ部を有し、前記一方の基板端部に対応する位置に形成された貫通孔に前記第一の押さえ部から押し込まれる第一の突起部と、突起形状をなすと共に前記突起形状の先端に第二の押さえ部を有し、前記他方の基板端部に対応する位置に形成された貫通孔に前記第二の押さえ部から押し込まれる第二の突起部とを有し、前記貫通孔を貫通した前記第一の押さえ部と前記貫通孔を貫通した前記第二の押さえ部とで前記発光素子基板の前記一方の基板端部と前記他方の基板端部とを押さえる基板固定部材と
を備え、
前記保持部は、
前記取付部の長手方向に沿う一方の取付端部から発光素子基板と反対方向に起立する第一の側面部と、前記取付部の長手方向に沿う他方の取付端部から発光素子基板と反対方向に起立する第二の側面部とを有し、
前記基板固定部材は、
前記第一の側面部と、前記第二の側面部とに挟まれて前記保持部に配置される光源ユニットと、
長尺形状をなす平板形状の平板部と、前記平板部の長手方向に沿う一方の平板端部から立ち上がる平板形状の第一の側壁部と、前記平板部の長手方向に沿う他方の平板端部から立ち上がる平板形状の第二の側壁部とから成る凹形状をなし、前記光源ユニットが取り付けられると共に前記凹形状の内部に前記光源ユニットの前記基板固定部材が収納される凹部を有し、相手部材に、第一の側壁部及び第二の側壁部の立ち上がる立上方向に先端部が突き出す突出し取付部によって取り付けられ器具本体と
を備え、
前記光源ユニットは、
前記第一の側面部及び前記第二の側面部の起立する起立方向が、前記第一の側壁部及び第二の側壁部の立上方向に沿うように前記器具本体に取り付けられ、
前記基板固定部材は、
前記起立方向における前記第一の側面部及び前記第二の側面部の頂上部以上に、前記起立方向に位置して前記突出し取付部の先端部に対向する先端対向部を有する照明器具。
【請求項７】
請求項１から請求項５のいずれか一項に記載の光源ユニットと、
長尺形状をなす平板形状の平板部と、前記平板部の長手方向に沿う一方の平板端部から立ち上がる平板形状の第一の側壁部と、前記平板部の長手方向に沿う他方の平板端部から立ち上がる平板形状の第二の側壁部とから成る凹形状をなし、前記光源ユニットが取り付けられると共に前記凹形状の内部に前記光源ユニットの前記基板固定部材が収納される凹部を有する器具本体と
を備えた照明器具。
【発明の詳細な説明】
【技術分野】
【０００１】
この発明は、発光素子が実装された長尺形状の発光素子基板を有する光源ユニットと、この光源ユニットを備えた照明器具に関する。例えば、光源ユニットへの発光素子基板の取り付け構造に関する。
【背景技術】
【０００２】
特許文献１には、長尺状に形成され電源を備えた光源ユニットと、光源ユニットが着脱自在に取り付けられる器具本体とを備えた照明器具の開示がある。長尺状の光源ユニットでは、複数のＬＥＤが実装されたＬＥＤ基板を、板金で形成された取付部材に固定しており、取付部材は一部を切り起こして形成されたかしめ部を備えている。
【先行技術文献】
【特許文献】
【０００３】
【特許文献１】特開２０１４−１１２４９０号公報
【発明の概要】
【発明が解決しようとする課題】
【０００４】
しかし、特許文献１に記載の光源ユニットは、取付部材に押し付けるように、かしめて取り付けしている。かしめ部は取付部材の一部を切り起したものであり、板金などで形成されている。その為、かしめ部をかしめる強さによっては、ＬＥＤ基板が破損しかねないと考えられる。このため、かしめる強さを管理する必要が生じる場合には作業が複雑になる。また、かしめ部を用いずに接着材などによりＬＥＤ基板を取付部材に固定した場合は、長尺に形成されたＬＥＤ基板の全面に接着剤を塗布する必要が生じる。
【０００５】
本発明は、長尺な光源ユニットにおいて、ＬＥＤ基板とＬＥＤ基板が配設される取付部材とを簡易な構成で固定できる光源ユニットの提供を目的とする。
【課題を解決するための手段】
【０００６】
この発明の光源ユニットは、
長尺形状の光源ユニットであって、
長尺形状の基板に発光素子が実装された発光素子基板と、
長尺形状の平板状の取付部であって一方の面に前記発光素子基板が取り付けられると共に、前記発光素子基板の短手方向となる前記発光素子基板の幅に対応して、前記発光素子基板の長手方向に沿う一方の基板端部に対応する位置と他方の基板端部に対応する位置とに複数の貫通孔が形成された取付部を有する保持部と、
突起形状をなすと共に前記突起形状の先端に第一の押さえ部を有し、前記一方の基板端部に対応する位置に形成された貫通孔に前記第一の押さえ部から押し込まれる第一の突起部と、突起形状をなすと共に前記突起形状の先端に第二の押さえ部を有し、前記他方の基板端部に対応する位置に形成された貫通孔に前記第二の押さえ部から押し込まれる第二の突起部と有し、前記貫通孔を貫通した前記第一の押さえ部と前記貫通孔を貫通した前記第二の押さえ部とで前記発光素子基板の前記一方の基板端部と前記他方の基板端部とを押さえる基板固定部材と
を備えた。
【発明の効果】
【０００７】
本発明は、基板固定部材を備えたので、長尺な光源ユニットにおいて、ＬＥＤ基板とＬＥＤ基板が配設される取付部材とを簡易な構成で固定できる照明器具を提供できる。
【図面の簡単な説明】
【０００８】
【図１】実施の形態１を示す図で、照明器具３００の斜視図。
【図２】実施の形態１を示す図で、照明器具３００を器具本体１００と光源ユニット２００とに分解した分解傾斜視図。
【図３】実施の形態１を示す図で、光源ユニット２００の斜視図。
【図４】実施の形態１を示す図で、器具本体１００を、本体部１１０と端板１２０−１，１２０−２とに分解した斜視図。
【図５】実施の形態１を示す図で、光源ユニット２００の分解斜視図。
【図６】図３のＡ−Ａに相当する図１のＡ−Ａ断面図。
【図７】図６を拡大した図。
【図８】実施の形態１を示す図で、基板固定部材４００の斜視図。
【図９】実施の形態１を示す図で、器具本体１００を相手部材に取り付ける突出し取付部６００と基板固定部材４００との位置関係を示す斜視図。
【図１０】実施の形態１を示す図で、基板固定部材４００のバリエーションを示す図。
【図１１】実施の形態１を示す図で、組み立て時の図５のＸ方向矢視。
【図１２】実施の形態１を示す図で、突出し取付部６００と基板固定部材４００との位置関係を示す断面図。
【図１３】実施の形態１を示す図で、連結金具２５０の斜視図。
【図１４】実施の形態１を示す図で、発光素子基板２１０の別のタイプを示す斜視図。
【発明を実施するための形態】
【０００９】
実施の形態１．
図１から図１３を参照して本実施の形態における照明器具を説明する。本実施の形態では、本発明に係わる照明器具の一例として天井などの被取付部に取り付けられる、逆富士形の照明器具について説明する。
【００１０】
＊＊＊構成の説明＊＊＊
図１及び図２に示すように、照明器具３００は、被取付部に当接するように設置される器具本体１００と、器具本体１００に脱着可能に取り付けられる光源ユニット２００から構成されている。
【００１１】
図２に示すように、器具本体１００は、光源ユニット２００を固定するためのバネ部１３０と、照明器具３００の外部から引き込まれた電源電線が接続される端子台１４０を備えている。器具本体１００は、長手方向に沿って略中央部に、光源ユニット２００の収容部である長尺形状の凹部１１１が形成されている。
【００１２】
図４に示すように、器具本体１００は、本体部１１０と、端板１２０−１と、端板１２０−２とを備える。図４、図７のように、凹部１１１は、長尺形状をなす平板形状の平板部１１２と、平板部１１２の長手方向に沿う一方の平板端部１１２ａから立ち上がる平板形状の第一の側壁部１１３−１と、平板部１１２の長手方向に沿う他方の平板端部１１２ｂから立ち上がる平板形状の第二の側壁部１１３−２とから成る凹形状をなす。図４、図７のように、凹部１１１とは、平板部１１２、第一の側壁部１１３−１，第二の側壁部１１３−２で構成され、断面がコの字形状で、長手方向の範囲１１８にわたり形成される凹形状の部分である。凹部１１１は、光源ユニット２００が取り付けられると共にその凹形状の内部に光源ユニット２００の基板固定部材４００が収納される。器具本体１００は、図１２に示すように、相手部材５００（造営材）に、第一の側壁部１１３−１及び第二の側壁部１１３−２の立ち上がる立上方向１１３ｄに先端部６１０が突き出す突出し取付部６００によって取り付けられる。また、凹部１１１の開口の長手側辺それぞれから平板部１１２方向へ広がるように傾斜する傾斜部１１４−１，１１４−２が形成されている。なお、図４に示すように、長手方向の両側には、凹部１１１及び傾斜部１１４−１，１１４−２を覆うように、端板１２０−１，１２０−２が取り付けられている。
【００１３】
図２に示すように、器具本体１００の平板部１１２には、バネ部１３０と端子台１４０が取り付けられる。平板部１１２には商用電源からの電力供給を受けるための電源線を引き込む複数の電源引込孔１１２ｃと、ボルトなどの突出し取付部６００により被取付部である相手部材５００へ固定する為の複数の固定孔１１２ｄ（図２では４つ）が形成されている。
【００１４】
図３に示すように、光源ユニット２００は、長尺形状である。図３、図５に示すように、光源ユニット２００は、発光素子基板２１０、保持部２２０、カバー部２３０、光源蓋部２４０、連結金具２５０、点灯装置２７０、基板固定部材４００を備えている。
（１）発光素子基板２１０は、複数の発光素子２１１と、複数の発光素子２１１が実装される基板２１２とを有する。この実施の形態では発光素子２１１はＬＥＤである。発光素子基板２１０は、照明器具３００の長手方向（図１）と略同等となるように長尺形状に形成されており、複数の発光素子２１１は基板２１２の長尺方向へ並ぶよう配設されている。
（２）保持部２２０には、発光素子基板２１０が取り付けられる。
（３）カバー部２３０は、発光素子基板２１０を覆うように保持部２２０に取り付けられて、発光素子基板２１０から照射される光を拡散制御する。
（４）光源蓋部２４０は、カバー部２３０の端部を覆う。
（５）連結金具２５０は、バネ部１３０と連結することで、光源ユニット２００を器具本体１００に取り付ける。
（６）点灯装置２７０は、発光素子基板２１０の発光素子２１１を点灯させる。
（７）基板固定部材４００は、発光素子基板２１０を保持部２２０に固定する。
【００１５】
図５に示すように、発光素子基板２１０は、複数の発光素子２１１と、複数の発光素子２１１を実装する基板２１２を有している。また、基板２１２は、長手方向に沿う一方の基板端部２１２−１、他方の基板端部２１２−２に、凸部２１３と凹部２１４が複数形成されている。凸部２１３および凹部２１４は基板２１２の長手方向に対して対称になるように、一方の基板端部２１２−１と、他方の基板端部２１２−２とに対に配設されている。凹部２１４における基板２１２の短手方向の２箇所の周縁は、基板２１２が取付部２２１に対して取付部２２１の長手方向にずれようとする場合に、第一の貫通孔２２４−１を貫通した第一の突起部４１０に押し当たる突起当接部２１５である。このように、発光素子基板２１０は突起当接部２１５を有する。
【００１６】
図５、図７に示すように、保持部２２０は、取付部２２１、第一の側面部２２２−１、第二の側面部２２２−２を有する。取付部２２１は長尺形状の平板状である。取付部２２１は略矩形状をなしており、一方の面２２１ａに発光素子基板２１０が取り付けられる。第一の側面部２２２−１は、長尺形状をなす取付部２２１の長手方向に沿う一方の取付端部２２１ｃから発光素子基板２１０とは反対方向に起立する。第二の側面部２２２−２は、取付部２２１の長手方向に沿う他方の取付端部２２１ｄから、第一の側面部２２２−１に対向するように、発光素子基板２１０とは反対方向に起立する。
【００１７】
図５に示すように、取付部２２１は、発光素子基板２１０の短手方向となる発光素子基板２１０の幅Ｗ２に対応して、発光素子基板２１０の長手方向に沿う一方の基板端部２１２−１に対応する位置と他方の基板端部２１２−２に対応する位置とに、複数の貫通孔２２４−１、２２４−２が形成されている。なお図５では、幅Ｗ２は２つの凹部２１４間の寸法である。第一の貫通孔２２４−１、第二の貫通孔２２４−２は、保持部２２０の取付部２２１に発光素子基板２１０が配設された時に、凹部２１４内側に位置するよう配設されている。これらの寸法関係は図１１の説明で後述する。
【００１８】
図５に示す基板固定部材４００は、図７に示すように、発光素子基板２１０が配置される取付部２２１の一方の面２２１ａの反対側の他方の面２２１ｂに配置されて発光素子基板２１０を取り付けする部材である。基板固定部材４００は、第一の側面部２２２−１と、第二の側面部２２２−２とに挟まれて保持部２２０に配置される。図８に示すように、基板固定部材４００は、略箱形状をした部材本体部４４０と、部材本体部４４０の一面（図８に示す底面４４８）から略垂直方向に対になるように形成された爪部である第一の突起部４１０、第二の突起部４２０を備えている。部材本体部４４０は、発光素子基板２１０へ電力を供給する電線が嵌め込まれる嵌め込み部４４１を有する。図５、図７、図８に示すように、第一の突起部４１０は、突起形状をなすと共に突起形状の先端に第一の押さえ部４１１を有し、一方の基板端部２１２−１に対応する位置に形成された第一の貫通孔２２４−１に第一の押さえ部４１１から押し込まれる。第二の突起部４２０は、突起形状をなすと共に突起形状の先端に第二の押さえ部４２２を有し、他方の基板端部２１２−２に対応する位置に形成された第二の貫通孔２２４−２に第二の押さえ部４２２から押し込まれる。図７に示すように、基板固定部材４００は、第一の貫通孔２２４−１を貫通した第一の押さえ部４１１と第二の貫通孔２２４−２を貫通した第二の押さえ部４２２とで発光素子基板２１０の一方の基板端部２１２−１と他方の基板端部２１２−２とを押さえる。なお、基板固定部材４００は、ポリカーボネートなどの樹脂部材から形成されている。
【００１９】
図８に示すように、部材本体部４４０は、第一の突起部４１０、第二の突起部４２０が形成された面（以下、底面４４８（図５））の反対面（以下、上面４４９（図８））に、上面４４９から底面４４８の方向へ切り込まれ、互いに対向する複数のスリット（図８では３つ）が形成されており、これらのスリット（切り込み）が嵌め込み部４４１を形成している。部材本体部４４０の底面４４８から上面４４９まで立ち上がり高さは、保持部２２０の第一の側面部２２２−１、第二の側面部２２２−２の立ち上がり高さと略同じ高さに形成されている。これについては図１２の説明で後述する。
【００２０】
図８に示すように、第一の突起部４１０は、底面４４８から略垂直方向に突起形状に形成されており、先端に第一の押さえ部４１１を有する。第二の突起部４２０は、底面４４８から略垂直方向に突起形状に形成されており、先端に第二の押さえ部４２２を有する。第一の押さえ部４１１と第二の押さえ部４２２とは、それぞれ第二の突起部４２０、第一の突起部４１０の方に、向かい合う出っ張り形状である。第一の突起部４１０と第二の突起部４２０との間隔（図６に示す幅Ｗ１１，幅Ｗ２２）は、保持部２２０に複数形成された貫通孔のうち、保持部２２０の短手方向で隣接する貫通孔同士の間隔と略同じになる。これらの寸法関係は図１１の説明で後述する。
【００２１】
図９に示すように、基板固定部材４００は、器具本体１００の固定孔１１２ｄと対面する位置の取付部２２１に設置される。図９では４つの固定孔１１２ｄのうち２つの固定孔１１２ｄに、器具本体１００を相手部材に固定する突出し取付部６００が配置された場合を示している。
【００２２】
図５、図７を参照してカバー部２３０を説明する。カバー部２３０は、カバー爪部２３１、反射部２３２、水平部２３３、拡散部２３４を備えており、ポリカーボネートなどの樹脂部材で形成された長尺形状である。
（１）カバー爪部２３１は、保持部２２０の第一の側面部２２２−１，第二の側面部２２２−２に係合する。
（２）反射部２３２は、取付部２２１の一方の面２２１ａと対向するように形成されている。反射部２３２は発光素子基板２１０から出射される光、およびカバー部２３０内部で拡散された光を反射する。図７に示すように、対をなすそれぞれの反射部２３２の水平方向への長さは、基板２１２の凸部２１３を覆う長さである。図７では凹部２１４を覆っているが、凹部２１４の長手方向には凸部２１３があるので、反射部２３２の長さは凸部２１３を覆う長さである。それぞれの反射部２３２は、先端部である第一の当接部２３２−１、第二の当接部２３２−２を有し、第一の当接部２３２−１、第二の当接部２３２−２が第一の突起部４１０、第二の突起部４２０に当たる長さに形成されている。第一の当接部２３２−１は、第一の貫通孔２２４−１を貫通した第一の突起部４１０を一方の基板端部２１２−１と共に挟む状態で、第一の貫通孔２２４−１を貫通した第一の突起部４１０に当たる。第二の当接部２３２−２は、第二の貫通孔２２４−２を貫通した第二の突起部４２０を他方の基板端部２１２−２と共に挟む状態で、第二の貫通孔２２４−２を貫通した第二の突起部４２０に当たる。
（３）水平部２３３は、カバー爪部２３１の取付部２２１の側端部から取付部２２１の外側に向かって水平に形成されている。
（４）拡散部２３４は、水平部２３３の端部から発光素子基板２１０を覆うように略円弧形状をなす。
【００２３】
光源蓋部２４０は、カバー部２３０の水平部２３３と拡散部２３４と、保持部２２０の取付部２２１から構成される端部を塞ぐ。
【００２４】
図１３に示すように、連結金具２５０は、断面が略Ｌ形状に形成されており、開口であるバネ挿入部２５０ａ−１が形成されている。
【００２５】
点灯装置２７０は、端子台１４０を介して商用電力からの電力を発光素子基板２１０に供給し、発光素子２１１を点灯させる。点灯装置２７０から発光素子基板２１０へ電力を供給する為の電線は、基板固定部材４００の部材本体部４４０に形成された嵌め込み部４４１に嵌め込む。これにより、電線が束ねられ、保護される。
【００２６】
＊＊＊組立動作の説明＊＊＊
次に、発光素子基板２１０、保持部２２０、基板固定部材４００、カバー部２３０の組み立てを説明する。
（１）図１１は図５のＸ方向矢視であるが、図１１のように、はじめに、発光素子基板２１０を、保持部２２０の第一の貫通孔２２４−１、第二の貫通孔２２４−２が基板２１２の凹部２１４に位置するように、発光素子基板２１０に対して保持部２２０に配置する。図１１には、第一の貫通孔２２４−１、第二の貫通孔２２４−２、凹部２１４を示している。また、二点鎖線で、第一の押さえ部４１１、第二の押さえ部４２２を示した。貫通孔どうしの内側寸法を示す幅Ｗ１（ＩＮ）、内側寸法を示す幅Ｗ１（ＯＵＴ）、凹部２１４どうしの寸法を示す幅Ｗ２を示した。また第二の貫通孔２２４−２の長手方向の寸法Ｌ１を示した。第一の貫通孔２２４−１も第二の貫通孔２２４−２と同様である。図１１では、幅Ｗ１（ＩＮ）は幅Ｗ２よりも同じか若干長く、また、寸法Ｌ１は、第二の貫通孔２２４−２の長手方向の長さよりも若干短い。また、幅Ｗ１（ＩＮ）、幅Ｗ１（ＯＵＴ）、寸法Ｌ１は、基板固定部材４００の寸法Ｗ１１、Ｗ２２（図６）及び寸法Ｗ３３（図８）を示した。貫通孔の寸法は、基板固定部材４００の寸法Ｗ１１、Ｗ２２（図６）及び寸法Ｗ３３との関係で決められる。
（２）次に、発光素子基板２１０が保持部２２０に対して配置された後、他方の面２２１ｂから、貫通孔に基板固定部材４００の第一の突起部４１０、第二の突起部４２０を、先端部である第一の押さえ部４１１、第二の押さえ部４２２から押し込んで嵌め込む（図５、図７）。第一の突起部４１０、第二の突起部４２０を貫通孔に嵌め込むと、第一の押さえ部４１１、第二の押さえ部４２２が、基板２１２を保持部２２０の一方の面２２１ａに押し付けるように挟み込む。また、第一の突起部４１０、第二の突起部４２０が凹部２１４に位置することで、基板２１２の長手方向、短手方向へのズレが防止される。
（３）次に、図７に示すような、拡散部２３４が発光素子基板２１０を覆うように、カバー部２３０を保持部２２０に係合させて、カバー部２３０を保持部２２０に固定する。このとき、図７に示すように、反射部２３２が基板２１２の凸部２１３、凹部２１４を覆い、また反射部２３２の第一の当接部２３２−１、第二の当接部２３２−２が第一の突起部４１０、第二の突起部４２０に当たることで、第一の突起部４１０、第二の突起部４２０の動きを抑制し、基板固定部材４００が、保持部２２０からはずれるのを防止できる。
【００２７】
図１２に示すように、光源ユニット２００は、第一の側面部２２２−１及び第二の側面部２２２−２の起立する起立方向２２２ｄが、第一の側壁部１１３−１及び第二の側壁部１１３−２の立上方向１１３ｄに沿うように器具本体１０００に取り付けられる。基板固定部材４００は、起立方向２２２ｄにおける第一の側面部２２２−１及び第二の側面部２２２−２の頂上部２２２−Ｔ１，２２２−Ｔ２以上に起立方向２２２ｄに位置して突出し取付部６００の先端部６１０に対向する先端対向部４４４を有する。
図１２に示す寸法Ｔ１は、第一の側面部２２２−１の、他方の面２２１ｂから第一の側面部２２２−１の頂上部２２２−Ｔ１までの長さである。寸法Ｔ２は、第二の側面部２２２−２の、他方の面２２１ｂから第二の側面部２２２−２の頂上部２２２−Ｔ２までの長さである。寸法Ｔ３は、基板固定部材４００の、他方の面２２１ｂから先端対向部４４４までの長さである。この実施の形態では、先端対向部４４４は上面４４９の一部が兼ねている。図１２において寸法Ｔ１と寸法Ｔ２とは、ほぼ同じ長さである。寸法Ｔ３は、寸法Ｔ１と寸法Ｔ２とより長い。よって突出し取付部６００の先端部６１０は、先端対向部４４４である上面４４９によって他方の面２２１ｂの方向への突出しが制限されるので、先端部６１０が、他方の面２２１ｂからの寸法が寸法Ｔ１あるいは寸法Ｔ２の領域に入り込むことはない。
【００２８】
＊＊＊効果の説明＊＊＊
本実施の形態によれば、
第一に、第一の突起部４１０、第二の突起部４２０、嵌め込み部４４１を有する基板固定部材４００により発光素子基板２１０を保持部２２０に固定することで、基板２１２を損傷させずに、簡易に保持部２２０に固定できる。
第二に、カバー部２３０の反射部２３２の第一の当接部２３２−１、第二の当接部２３２−２が第一の突起部４１０、第二の突起部４２０に当接するので、第一の突起部４１０、第二の突起部４２０が貫通孔から抜けるのを防止できる。
第三に、基板２１２が凸部２１３及び凹部２１４を備えており、凹部２１４に第一の突起部４１０、第二の突起部４２０が嵌め込まれる構成であるので、カバー部２３０の反射部２３２を、基板２１２の凸部２１３を覆うように大きく、広く形成することができる。
第四に、基板固定部材４００は嵌め込み部４４１を有するので、保持部２２０に配設された点灯装置２７０から発光素子基板２１０へ電力を供給する電線などを嵌め込み部４４１に収めることで、複数の電線を束ねることができる。よって保持部２２０における取付部２２１、第一の側面部２２２−１及び第二の側面部２２２−２とで形成される凹部形状の凹部形状内のスペースを有効に使用できる。
第五に、基板固定部材４００を、保持部２２０の器具本体１００の固定孔１１２ｄと対面する位置に設置することで、器具本体１００を被取付部（造営部材）に取り付けるボルトなどの突出し取付部６００が保持部２２０の凹部形状の内部へ挿入することを防止できる。
【００２９】
なお、本実施の形態の変形例として、基板固定部材４００は、図１０に示すように第一の突起部４１０、第二の突起部４２０が対称形状でなくともよい。また、嵌め込み部４４１が横側面に形成されていても良い。
図１０（ａ）は、第一の突起部４１０、第二の突起部４２０が底面４４８の領域の内部から突き出る形状である。図１０（ｂ）は、第二の突起部４２０が２個に分割され、第一の突起部４１０が側面の全部ではなく一部分をなす形状である。図１０（ｃ）は、嵌め込み部４４１が底面４４８に略平行なスリット状に形成された形状である。
【００３０】
なお、本実施の形態では、基板２１２を凸部２１３と凹部２１４を有する形状として説明を行った。しかし、凹部は貫通孔と連通して、第一の突起部４１０、第二の突起部４２０が嵌め込まれるような開口形状でもよい。また、凸部は凹部より外側に形成されているものであれば良い。
【００３１】
なお、本実施の形態は、長孔形状をした貫通孔に関して説明を行ったが、第一の突起部４１０、第二の突起部４２０が嵌め込まれる形状であれば良い。
【００３２】
なお、本実施の形態の変形例として、基板２１２の凸部２１３を設けずに、光源蓋部２４０により基板２１２の長手方向へのずれを防ぐように構成しても良い。また、カバー部２３０の反射部に凸部、凹部を設けても良い。
【００３３】
なお、本実施の形態の変形例として、基板２１２の凸部２１３を設けずに、光源蓋部２４０により基板２１２の長手方向へのずれを防ぐように構成しても良い。この場合、図１４に示すように、基板２１２は凹部２１４の幅の矩形形状でよく、その短手方向の幅は、図５の凹部２１４間の幅Ｗ２と略同じである。
【００３４】
基板固定部材４００に保護される電線は、点灯装置２７０から発光素子基板２１０へ電力を送る電線について説明したが、商用電源から点灯装置２７０へ電力を供給するＦケーブルや調光のための信号線などの電線でもよい。また嵌め込み部４４１の形状をコネクタを保持できるようにして嵌め込み部４４１でコネクタを保持しても良い。このように基板固定部材４００の嵌め込み部４４１には、電線やコネクタ等の電気部品が嵌め込まれる。
【符号の説明】
【００３５】
１００  器具本体、１１０  本体部、１１１  凹部、１１２  平板部、１１２ａ  一方の平板端部、１１２ｂ  他方の平板端部、１１２ｃ  引込孔、１１２ｄ  固定孔、１１３−１  第一の側壁部、１１３−２  第二の側壁部、１１３ｄ  立上方向、１１４−１，１１４−２  傾斜部、１１８  範囲、１２０−１，１２０−２  端板、１３０  バネ部、１４０  端子台、２００  光源ユニット、２１０  発光素子基板、２１１  発光素子、２１２  基板、２１２−１  一方の基板端部、２１２―２  他方の基板端部、２１３  凸部、２１４  凹部、２１５  突起当接部、２２０  保持部、２２１  取付部、２２１ａ  一方の面、２２１ｂ  他方の面、２２１ｃ  一方の取付端部、２２１ｄ  他方の取付端部、２２２−１  第一の側面部、２２２−２  第二の側面部、２２２−Ｔ１  頂上部、２２２−Ｔ２  頂上部、２２２ｄ  起立方向、２２４−１  第一の貫通孔、２２４−２  第二の貫通孔、２３０  カバー部、２３１  カバー爪部、２３２  反射部、２３２−１  第一の当接部、２３２−２  第二の当接部、２３３  水平部、２３４  拡散部、２４０  光源蓋部、２５０  連結金具、２７０  点灯装置、３００  照明器具、４００  基板固定部材、４１０  第一の突起部、４１１  第一の押さえ部、４２０  第二の突起部、４２２  第二の押さえ部、４４０  部材本体部、４４１  嵌め込み部、４４４  先端対向部、４４８  底面、４４９  上面、５００  相手部材、６００  突出し取付部、６１０  先端部。
【図１】
0006516461.tif 000002
【図２】
0006516461.tif 000003
【図３】
0006516461.tif 000004
【図４】
0006516461.tif 000005
【図５】
0006516461.tif 000006
【図６】
0006516461.tif 000007
【図７】
0006516461.tif 000008
【図８】
0006516461.tif 000009
【図９】
0006516461.tif 000010
【図１０】
0006516461.tif 000011
【図１１】
0006516461.tif 000012
【図１２】
0006516461.tif 000013
【図１３】
0006516461.tif 000014
【図１４】
0006516461.tif 000015